(57)【要約】【課題】外形及び外側の特徴がいつでもどこでも変更出来るノートブック型コンピュータのケーシングをユーザに提供すること。【解決手段】デバイスは、本体と、ランダムに本体に固定及びそれからの取外しが出来る少なくとも１つの装飾片を含む。本体は、そのリムに配されたスロット、そのスロットの内側に配された第１のロック部を含み、第１のインターロック部を含む少なくとも１つの装飾片が第１のロック部と所定位置でロックされる。装飾片は、本体に固定されてコンピュータの外形と外側の特徴を変更し、一方では、衝撃や損傷に対してコンピュータを保護する緩衝材としての役割を果たす。【選択図】図１
0003118873.tif 000002
【実用新案登録請求の範囲】
【請求項１】
ノートブック型コンピュータのケーシングであって、
ある所定の形状と厚みを有する本体と、
本体のリムに配された第１のロック部と、
本体のリムに配され且つ第１のロック部で所定位置にロックされることが出来る第１のインターロック部を有する少なくとも１つの装飾片と、を備えるノートブック型コンピュータのケーシング。
【請求項２】
本体は、第２のロック部を更に有すると共に、装飾片は、
第１のロック部で所定位置にロックされることが出来る第１のインターロック部を有する第１の装飾片と、
第２のロック部で所定位置にロックされることが出来る第２のインターロック部を有する第２の装飾片と、を更に備える、請求項１に記載のノートブック型コンピュータのケーシング。
【請求項３】
第１のスロットが、本体の回りに配され、且つ第１のロック部が、第１のスロット内に配される、請求項１に記載のノートブック型コンピュータのケーシング。
【請求項４】
第１のロック部は、第１のスロットの横方向へ沿う鳩尾形状のスロットである、請求項３に記載のノートブック型コンピュータのケーシング。
【請求項５】
本体は、ある所定の厚みを有する四角形体であり、第１のスロットは、本体の２つの隣接する側部に配される、請求項３に記載のノートブック型コンピュータのケーシング。
【請求項６】
本体の回りに、第２のスロットを有し、第２のロック部は、第２のスロットの内側に配される、請求項２に記載のノートブック型コンピュータのケーシング。
【請求項７】
第２のロック部は、第２のスロットの横方向に沿って延出する鳩尾形状のスロットである、請求項６に記載のノートブック型コンピュータのケーシング。
【請求項８】
本体は、更に第１と第２のスロット間に位置決めされる、１対のスロットの接続部を備える、請求項６に記載のノートブック型コンピュータのケーシング。
【請求項９】
第１と第２のロック部は、それらの対応する第１と第２のスロットの内側に配される、請求項８に記載のノートブック型コンピュータのケーシング。
【請求項１０】
ノートブック型コンピュータのケーシングであって、
ある所定の形状と厚み、及びスライドロックを有する本体を備え、スライドロックは、左側の第１の位置と右側の第２の位置との間を左右に動くことが出来、
本体のリムに配され且つスライドロックで所定位置にロックされることが出来る第１のインターロック部を有する少なくとも１つの装飾片、を備えるノートブック型コンピュータのケーシング。
【請求項１１】
スライドロックは、リング形状の本体ロック部を更に備え、装飾片ロック部は、フック状の端部を有する突出柱である、請求項１０に記載のノートブック型コンピュータのケーシング。
【請求項１２】
ケーシングは、スライドロックと本体間に位置決めされるスプリングを更に備える、請求項１０に記載のノートブック型コンピュータのケーシング。
【請求項１３】
装飾片は、端部同士が接続可能である第１の装飾片と第２の装飾片とを更に備える、請求項１０に記載のノートブック型コンピュータのケーシング。
【請求項１４】
第１の装飾片は、第１のインターロック部を更に備え、装飾片ロック部は、第２の装飾片に配され、第２の装飾片には、第１のインターロック部と接続して使用されることが出来る第２のインターロック部がある、請求項１３に記載のノートブック型コンピュータのケーシング。
【請求項１５】
第１のインターロック部は、第１の装飾片の端部に配され且つリング形状を有し、第２のインターロック部は、第２の装飾片の端部に配され、第１のインターロック部内にロックされることが出来る突出柱のような形状である、請求項１４に記載のノートブック型コンピュータのケーシング。
【請求項１６】
本体は、中に装飾片が配されるべき第１のスロットを備える、請求項１０に記載のノートブック型コンピュータのケーシング。
【請求項１７】
本体は、中に第１の装飾片が配されるべき第１のスロットを備える、請求項１０に記載のノートブック型コンピュータのケーシング。
【請求項１８】
本体は、中にスライドロックが配されるべき第２のスロットを備える、請求項１０に記載のノートブック型コンピュータのケーシング。
【考案の詳細な説明】
【技術分野】
【０００１】
本考案は、ノートブック型コンピュータと共に使用されるケーシング、特に、ユーザによって外形及び外側の特徴が変更出来るケーシングに関する。
【背景技術】
【０００２】
ノートブック型コンピュータのケーシングの多くの製造業者は、しばしば、他者のケーシングから自社のケーシングを差別化し、自社のケーシングを視覚的により魅力的にするために自社のケーシングにエンボス加工された又は刻み込まれたパターン、マーク等を有する。
【０００３】
しかしながら、ケーシングの外側のデザインがいかに意匠を凝らしたものであろうと、日に日に見慣れてくるため、意匠を凝らした新たなデザインを見る楽しみには、直ぐに飽きが来る。更に、工場生産のケーシングの一様な性質のために、ユーザは、自分のコンピュータを他者の同じモデルの物と差別化することが出来ない。
【０００４】
ユーザの中には、ステッカーを使用して自分のコンピュータを差別化、装飾、又はカスタマイズする人もいる。しかしながら、ステッカーは、直ぐに、光沢及び魅力を失い、それらが磨耗すると不快にさえなり、ケーシングの表面に残留接着剤が残る。
【考案の開示】
【考案が解決しようとする課題】
【０００５】
上記状況に鑑み、本考案は、外形及び外側の特徴がいつでもどこでも変更出来るノートブック型コンピュータのケーシングをユーザに提供することが目的である。
【０００６】
また、本考案は、外側の装飾部が容易に変更及び／又は交換出来るノートブック型コンピュータのケーシングをユーザに提供することが目的である。
【０００７】
本考案の更なる目的は、外側の装飾部が衝撃や損傷に対してコンピュータを保護する緩衝材としての役割を果たすことが出来るノートブック型コンピュータのケーシングをユーザに提供することである。
【課題を解決するための手段】
【０００８】
上記目的を達成するために、本考案のケーシングは、本体と、ランダムに本体へ固定又は本体から取外し可能な少なくとも１つの装飾片と、を備える。本体は、そのリムに凹凸のあるスロットを有し、第１のロック部がそのスロットの内壁に配される。装飾片は、第１のロック部で所定位置にロックされることが出来る第２のロック部を備える。また、インターロックされた時に、２つのロック部は、スロット内に留まり、装飾片の外側リムは、ケーシングの本体のスロットから突出する。上記デザインによって、ユーザは、全くツール（道具）を使用することなく、自分のノートブック型コンピュータの外形及び外側の特徴を変更出来、且つ不測の衝撃からコンピュータを保護することが出来る。
すなわち、本願の第1考案は、ノートブック型コンピュータのケーシングであって、ある所定の形状と厚みを有する本体と、本体のリムに配された第１のロック部と、本体のリムに配され且つ第１のロック部で所定位置にロックされることが出来る第１のインターロック部を有する少なくとも１つの装飾片と、を備えるノートブック型コンピュータのケーシングを提供する。
本願の第２考案は、本体は、第２のロック部を更に有すると共に、装飾片は、第１のロック部で所定位置にロックされることが出来る第１のインターロック部を有する第１の装飾片と、第２のロック部で所定位置にロックされることが出来る第２のインターロック部を有する第２の装飾片と、を更に備える、前記第１考案に記載のノートブック型コンピュータのケーシングを提供する。
本願の第３考案は、第１のスロットが、本体の回りに配され、且つ第１のロック部が、第１のスロット内に配される、前記第１考案に記載のノートブック型コンピュータのケーシングを提供する。
本願の第４考案は、第１のロック部は、第１のスロットの横方向へ沿う鳩尾形状のスロットである、前記第３考案に記載のノートブック型コンピュータのケーシングを提供する。
本願の第５考案は、本体は、ある所定の厚みを有する四角形体であり、第１のスロットは、本体の２つの隣接する側部に配される、前記第３考案に記載のノートブック型コンピュータのケーシングを提供する。
本願の第６考案は、本体の回りに、第２のスロットを有し、第２のロック部は、第２のスロットの内側に配される、前記第２考案に記載のノートブック型コンピュータのケーシングを提供する。
本願の第７考案は、第２のロック部は、第２のスロットの横方向に沿って延出する鳩尾形状のスロットである、前記第６考案に記載のノートブック型コンピュータのケーシングを提供する。
本願の第８考案は、本体は、更に第１と第２のスロット間に位置決めされる、１対のスロットの接続部を備える、前記第６考案に記載のノートブック型コンピュータのケーシングを提供する。
本願の第９考案は、第１と第２のロック部は、それらの対応する第１と第２のスロットの内側に配される、前記第８考案に記載のノートブック型コンピュータのケーシングを提供する。
本願の第１０考案は、ノートブック型コンピュータのケーシングであって、
ある所定の形状と厚み、及びスライドロックを有する本体を備え、スライドロックは、左側の第１の位置と右側の第２の位置との間を左右に動くことが出来、
本体のリムに配され且つスライドロックで所定位置にロックされることが出来る第１のインターロック部を有する少なくとも１つの装飾片、を備えるノートブック型コンピュータのケーシングを提供する。
本願の第１１考案は、スライドロックは、リング形状の本体ロック部を更に備え、装飾片ロック部は、フック状の端部を有する突出柱である、前記第１０考案に記載のノートブック型コンピュータのケーシングを提供する。
本願の第１２考案は、ケーシングは、スライドロックと本体間に位置決めされるスプリングを更に備える、前記第１０考案に記載のノートブック型コンピュータのケーシングを提供する。
本願の第１３考案は、装飾片は、端部同士が接続可能である第１の装飾片と第２の装飾片とを更に備える、前記第１０考案に記載のノートブック型コンピュータのケーシングを提供する。
本願の第１４考案は、第１の装飾片は、第１のインターロック部を更に備え、装飾片ロック部は、第２の装飾片に配され、第２の装飾片には、第１のインターロック部と接続して使用されることが出来る第２のインターロック部がある、前記第１３考案に記載のノートブック型コンピュータのケーシングを提供する。
本願の第１５考案は、第１のインターロック部は、第１の装飾片の端部に配され且つリング形状を有し、第２のインターロック部は、第２の装飾片の端部に配され、第１のインターロック部内にロックされることが出来る突出柱のような形状である、前記第１４考案に記載のノートブック型コンピュータのケーシングを提供する。
本願の第１６考案は、本体は、中に装飾片が配されるべき第１のスロットを備える、前記第１０考案に記載のノートブック型コンピュータのケーシングを提供する。
本願の第１７考案は、本体は、中に第１の装飾片が配されるべき第１のスロットを備える、前記第１０考案に記載のノートブック型コンピュータのケーシングを提供する。
本願の第１８考案は、本体は、中にスライドロックが配されるべき第２のスロットを備える、前記第１０考案に記載のノートブック型コンピュータのケーシングを提供する。
【０００９】
本考案を理解し得るように、本考案の幾つかの好適な実施の形態について、図面と共に例示して詳細に説明する。
【考案を実施するための最良の形態】
【００１０】
図１を参照する。本考案で開示されるノートブック型コンピュータ１０は、２つの大きな部分から成り、１つは、ディスプレイスクリーン及びキーボードのような他の電子コンポーネントが配置される本体１２であり、２つ目は、本体１２に固定及びそれからの取外しが出来る装飾片１４である。
【００１１】
さて、図１乃至図５を参照する。本体１２は、ある適切な厚みを有する四角形体である。本体の前部リムには、中に第１のロック部２０ａが配される第１のスロット２０があり、この第１のロック部２０ａは、第１のスロット２０の横方向に沿って延出する鳩尾形状のスロットである。また、１対の第２のスロット２２が、本体の２つの側部リムに配される。２つの第２のスロットの各々の内側には、第２のロック部２２ａが配され、この第２のロック部２２ａは、第２のスロット２２の横方向に沿って延出する鳩尾形状のスロットである。１対の接続スロット２４は、本体１２の２つの外側コーナーに造られ、各々は、第１のスロット２０と第２のスロットとの間に位置され、矩形状の横断面を有する。
【００１２】
次に、図１乃至図５を参照する。装飾片１４は、第１の装飾片４０と２つの第２の装飾片４２を備える。第１の装飾片４０は、予め決定された長さのものであり、その２つのリムは、外側に湾曲しており、第１のロック部２０ａとインターロックすることが出来る第１のインターロック部４０ａを形成する鳩尾形状のスロットのような形状の内側を有する。第２の装飾片４２は、略Ｌ字状であり、その２つのリムもまた外方へ湾曲している。第２の装飾片４２の内側に、この第２の装飾片４２は、本体１２の側部リムに面する鳩尾形状の第２のインターロック部４２ａと、フック形状の端部を有する突出柱であり、本体１２の前部リムに面する装飾片ロック部４２ｂとを形成する。
【００１３】
再び、図１乃至図５を参照する。組み立ての際、ユーザは、はじめに第１の装飾片４０を接続スロット２４の一端から第１のスロット２０内に押し込み、第１の装飾片４０の内側が第１のスロット２０の全領域を覆い、第１のインターロック部４０ａが、第１のロック部２０ａと完全にロックされる。次に、ユーザが、２つの第２の装飾片４２を本体１２の前部リムの両端からそれらの対応する第２のスロット２２へ押し込み、各第２のインターロック部４２ａを各第２のロック部２２ａと強固にロックさせ、各第２の装飾片４２は、各第２のスロット２２を完全に被覆する。このように、装飾片のロック部４２ｂは、本体１２の接続スロット２４と強固にロックされ、第１の装飾片４０が所定位置に強固にロックされることが出来る。
【００１４】
図６を参照する。この図では、装飾片１８がノートブック型コンピュータ１０の本体１６に固定される他の方法を示している。
【００１５】
図６乃至図１０を参照する。本体１６には、本体１６の４つの側部を囲む第１のスロット６０がある。１対の第２のスロット６２は、本体１６の裏側の２つの側部に配される。スプリング６４ａで押圧される１対のスライドロック６４は、左側の第１の位置と右側の第２の位置との間で移動可能であり、各々が対応する第２のスロット６２の内側に配される。スライドロック６４の各々には、リング形状の本体ロック部６４ｂがある。
【００１６】
図６乃至図１０を参照する。装飾片１８は、第１の装飾片８０と２つの第２の装飾片８２とを備える。第１の装飾片８０は、所定の長さのものであり、各端部にリング形状の第１のロック部８０ａを有する。第２の装飾片８２は、略Ｕ字形であり、本体１６に固定されると、本体１６の前部、側部、及び後部のリムに沿って延出する。本体１６の前部リムに面する部分の端の内側には、柱形状の第２のインターロック部８２ａがある。本体１６の後部リムに面する部分の内側には、フック形状の底端を有する突起柱状の装飾片ロック部８２ｂがある。
【００１７】
再び、図６乃至図１０を参照する。組み立ての際、ユーザは、はじめに本体１６の前部リムに面する位置で第１の装飾片８０を第１のスロット６０に押し込む。次に、ユーザは、第２の装飾片８２の２つの第２のインターロック部８２ａを各々対応する第２のインターロック部８２ａに押し込む。次に、第２のインターロック部８２ａを各々ピボットとして使用して第２の装飾片８２を旋回して、図８に示されるように、装飾片ロック部８２ｂを各々対応する第２のスロット６２に位置決めし、本体ロック部６４ｂのエッジをそのフックによって左側の第１の位置に保持し、スプリング６４ａの引っ張り力によって固定されたままとなる。
【００１８】
再び、図６乃至図１０を参照する。ユーザが、装飾片１８を変更することを望む場合、図１０に示されるように、ユーザは、スライドロック６４を右側の第２の位置方向へ押すことが出来、スプリング６４ａを押圧して本体ロック部６４ｂのエッジを装飾片ロック部８２ｂの端部から解放する。このように、第２の装飾片８２は、本体１６から取り外されることが出来、第１の装飾片８０の両端を自由に維持し、ユーザは、両端を指で簡単に上げることが出来る。
【００１９】
再び、図６乃至図１０を参照する。上述の実施の形態では、丁度、本体１６のリムを囲む第１のスロット６０があるが、実際には、第１のスロット６０の幅は、本体１６の表面や底面に延出しても良いし、又は、代わりに、第１のスロット６０は、本体１６の表面や底面に位置されても良い。我々は、第１のスロット６０のデザインを省略しても良く、本体１６の外側リムに、図２と図５に示される、本体接続スロット２４及び装飾片ロック部４２ｂ等を適用しても良い。これらの全ては、本考案によって開示されるように、装飾片１８の簡単な固定及び／又は取外しによってノートブック型コンピュータの外側の特徴を変更する目的を達成出来、従って、それらは、本考案によって開示されるのと同じ技術手段に属すると考えられるべきである。
【００２０】
再度、図１乃至図６を参照する。本考案の上記実施の形態に記述された本体１２や１６は、キーボードをホストし、デスク上に配され得るノートブック型コンピュータの部分である。しかしながら、実際には、同じ機構が、スクリーンをホストし、フリップ開放されるノートブック型コンピュータの部分に適用可能である。
【００２１】
概説すれば、上記で開示された本考案の構造により、ユーザは何らツールを使用することなくノートブック型コンピュータの外形及び外側の特徴を変更することが出来る。図１及び図６Ａに示されるように、装飾片１４や１８は、種々の色、パターン、及び形状で、更には、ネーム及びカスタマイズされたロゴつきで提供できるので、ユーザは、自分のコンピュータを他者の同じコンピュータから差別化することが出来、顧客の購入決定を動機付けるに十分強力なインセンティブとなる。
【００２２】
本考案は、上記の好適な実施の形態として開示されたが、その記載は、決して本考案の用途の範囲を制限するものではない。当業者によって理解されているように、本考案の前述の好適な実施の形態は、本考案を制限する記載ではなく、１つの例示である。好適な実施の形態は、添付の請求項の精神と範囲内に含まれる種々の変更及び類似の構成をカバーすることを意図しており、その範囲は、そのような変更及び類似の構造の全てを包含するように最も広い解釈に一致されるべきである。
【図面の簡単な説明】
【００２３】
【図１】本考案の第１の好適な実施の形態の３次元図（斜視図）である。
【図２】本考案の第１の好適な実施の形態の分解図である。
【図３】本考案の第１の好適な実施の形態で使用される第１の装飾片の横断面図である。
【図４】本考案の第１の好適な実施の形態で設計されたロックスロットの横断面図である。
【図５】本考案の第１の好適な実施の形態で使用される第２の装飾片の拡大図である。
【図６】本考案の第２の好適な実施の形態の分解図である。
【図７】本考案の第２の好適な実施の形態の拡大図である。
【図８】本考案の第２の好適な実施の形態の平面図である。
【図９】本考案の第２の好適な実施の形態で使用される、左側の第１の位置にある、スライドロック機構の横断面図である。
【図１０】本考案の第２の好適な実施の形態で使用される、右側の第２の位置にある、スライドロック機構の横断面図である。
【図１】
0003118873.tif 000003
【図２】
0003118873.tif 000004
【図３】
0003118873.tif 000005
【図４】
0003118873.tif 000006
【図５】
0003118873.tif 000007
【図６】
0003118873.tif 000008
【図７】
0003118873.tif 000009
【図８】
0003118873.tif 000010
【図９】
0003118873.tif 000011
【図１０】
0003118873.tif 000012